【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
表示部において１つのウィンドウを全画面モードで表示する第一の動作モードと、前記表示部において複数のウィンドウを表示可能な第二の動作モードと、を動作可能な、外部装置と通信可能な情報処理装置であって、
前記外部装置から送信された情報を取得する取得手段と、
前記情報処理装置の動作モードを判定する第一の判定手段と、
前記取得手段にて取得された情報に基づき、アプリケーションにより通知画面を表示させる通知手段と、
前記アプリケーションとは別のソフトウェアのウィンドウが前記表示部にて表示されているか否かを判定する第二の判定手段と
を有し、
前記通知手段は、前記第一の判定手段により動作モードが前記第二の動作モードであると判定された場合、前記通知画面として、第１通知画面を表示させ、
前記通知手段は、前記第一の判定手段により動作モードが前記第一の動作モードであると判定され、かつ、前記第二の判定手段により前記別のソフトウェアのウィンドウが表示されていないと判定された場合、前記通知画面として、前記第１通知画面を表示させ、
前記通知手段は、前記第一の判定手段により動作モードが前記第一の動作モードであると判定され、かつ、前記第二の判定手段により前記別のソフトウェアのウィンドウが表示されていると判定された場合、前記通知画面として、前記第１通知画面よりも小さい第２通知画面を表示させる、
ことを特徴とする情報処理装置。
【請求項２】
前記第２通知画面は、画面表示の方法として現在表示中のウィンドウのフォーカスを奪わずに通知を行う通知画面であり、前記第１通知画面または前記第２通知画面は選択可能であることを特徴とする請求項１に記載の情報処理装置。
【請求項３】
前記第２通知画面は、簡易通知画面であることを特徴とする請求項１または２に記載の情報処理装置。
【請求項４】
前記第１通知画面は、前記取得手段にて取得した情報の概要を示す情報および通知する情報がある旨のメッセージのうち少なくとも一方を含むことを特徴とする請求項１乃至３のいずれか一項に記載の情報処理装置。
【請求項５】
前記第１通知画面は、前記情報処理装置が備えるオペレーティングシステムの通知機能を用いた表示画面であることを特徴とする請求項１乃至４のいずれか一項に記載の情報処理装置。
【請求項６】
前記オペレーティングシステムの通知機能は、トースト通知機能であることを特徴とする請求項５に記載の情報処理装置。
【請求項７】
前記取得手段により取得した情報に基づく通知は、エラー通知であることを特徴とする請求項１乃至６のいずれか一項に記載の情報処理装置。
【請求項８】
前記第一の判定手段により動作モードが前記第一の動作モードであると判定された場合、前記情報処理装置の要求した動作に基づくエラーが発生しているか否かを、前記取得手段にて取得した情報に基づいて判定する第三の判定手段を更に有し、
前記第三の判定手段により前記情報処理装置の要求した動作に基づくエラーが発生していないと判定された場合、前記第２通知画面は表示されないことを特徴とする請求項７に記載の情報処理装置。
【請求項９】
前記通知手段による通知を行う際の条件設定を受け付ける受付手段を更に有することを特徴とする請求項１乃至８のいずれか一項に記載の情報処理装置。
【請求項１０】
前記第一の動作モードはタブレットモードであり、前記第二の動作モードはデスクトップモードであることを特徴とする請求項１乃至９のいずれか一項に記載の情報処理装置。
【請求項１１】
表示部において１つのウィンドウを全画面モードで表示する第一の動作モードと、前記表示部において複数のウィンドウを表示可能な第二の動作モードと、を動作可能な、外部装置と通信可能な情報処理装置における表示制御方法であって、
前記外部装置から送信された情報を取得する取得工程と、
前記情報処理装置の動作モードを判定する第一の判定工程と、
前記取得工程にて取得した情報に基づき、アプリケーションにより通知画面を表示させる通知工程と、
前記アプリケーションとは別のソフトウェアのウィンドウが前記表示部にて表示されているか否かを判定する第二の判定工程と
を有し、
前記通知工程では、前記第一の判定工程にて動作モードが前記第二の動作モードであると判定された場合、前記通知画面として、第１通知画面を表示させ、
前記通知工程では、前記第一の判定工程にて動作モードが前記第一の動作モードであると判定され、かつ、前記第二の判定工程にて前記別のソフトウェアのウィンドウが表示されていないと判定された場合、前記通知画面として、前記第１通知画面を表示させ、
前記通知工程では、前記第一の判定工程にて動作モードが前記第一の動作モードであると判定され、かつ、前記第二の判定工程にて前記別のソフトウェアのウィンドウが表示されていると判定された場合、前記通知画面として、前記第１通知画面よりも小さい第２通知画面を表示させる、
ことを特徴とする表示制御方法。
【請求項１２】
表示部において１つのウィンドウを全画面モードで表示する第一の動作モードと、前記表示部において複数のウィンドウを表示可能な第二の動作モードと、を動作可能なコンピューターを、
外部装置から送信された情報を取得する取得手段、
前記コンピューターの動作モードを判定する第一の判定手段、
前記取得手段にて取得された情報に基づき、アプリケーションにより通知画面を表示させる通知手段と、
前記アプリケーションとは別のソフトウェアのウィンドウが前記表示部にて表示されているか否かを判定する第二の判定手段
として機能させ、
前記通知手段は、前記第一の判定手段により動作モードが前記第二の動作モードであると判定された場合、前記通知画面として、第１通知画面を表示させ、
前記通知手段は、前記第一の判定手段により動作モードが前記第一の動作モードであると判定され、かつ、前記第二の判定手段により前記別のソフトウェアのウィンドウが表示されていないと判定された場合、前記通知画面として、前記第１通知画面を表示させ、
前記通知手段は、前記第一の判定手段により動作モードが前記第一の動作モードであると判定され、かつ、前記第二の判定手段により前記別のソフトウェアのウィンドウが表示されていると判定された場合、前記通知画面として、前記第１通知画面よりも小さい第２通知画面を表示させる、
ことを特徴とするプログラム。
【請求項１３】
前記第２通知画面は、画面表示の方法として現在表示中のウィンドウのフォーカスを奪わずに通知を行う通知画面であり、前記第１通知画面または前記第２通知画面は選択可能であることを特徴とする請求項１２に記載のプログラム。
【請求項１４】
前記第２通知画面は、簡易通知画面であることを特徴とする請求項１２または１３に記載のプログラム。
【請求項１５】
前記第１通知画面は、前記取得手段にて取得した情報の概要を示す情報および通知する情報がある旨のメッセージのうち少なくとも一方を含むことを特徴とする請求項１２乃至１４のいずれか一項に記載のプログラム。
【請求項１６】
前記第１通知画面は、前記コンピューターが備えるオペレーティングシステムの通知機能を用いた表示画面であることを特徴とする請求項１２乃至１５のいずれか一項に記載のプログラム。
【請求項１７】
前記オペレーティングシステムの通知機能は、トースト通知機能であることを特徴とする請求項１６に記載のプログラム。
【請求項１８】
前記取得手段により取得した情報に基づく通知は、エラー通知であることを特徴とする請求項１２乃至１７のいずれか一項に記載のプログラム。
【請求項１９】
前記コンピューターを、
前記第一の判定手段により動作モードが前記第一の動作モードであると判定された場合、前記コンピューターの要求した動作に基づくエラーが発生しているか否かを、前記取得手段にて取得した情報に基づいて判定する第三の判定手段として更に機能させ、
前記第三の判定手段により前記コンピューターの要求した動作に基づくエラーが発生していないと判定された場合、前記第２通知画面は表示されないことを特徴とする請求項１８に記載のプログラム。
【請求項２０】
前記コンピューターを、
前記通知手段による通知を行う際の条件設定を受け付ける受付手段として更に機能させることを特徴とする請求項１２乃至１９のいずれか一項に記載のプログラム。
【請求項２１】
前記第一の動作モードはタブレットモードであり、前記第二の動作モードはデスクトップモードであることを特徴とする請求項１２乃至２０のいずれか一項に記載のプログラム。
【手続補正２】
【補正対象書類名】明細書
【補正対象項目名】０００６
【補正方法】変更
【補正の内容】
【０００６】
上記課題を解決するために本願発明は以下の構成を有する。すなわち、表示部において１つのウィンドウを全画面モードで表示する第一の動作モードと、前記表示部において複数のウィンドウを表示可能な第二の動作モードと、を動作可能な、外部装置と通信可能な情報処理装置であって、前記外部装置から送信された情報を取得する取得手段と、前記情報処理装置の動作モードを判定する第一の判定手段と、前記取得手段にて取得された情報に基づき、アプリケーションにより通知画面を表示させる通知手段と、前記アプリケーションとは別のソフトウェアのウィンドウが前記表示部にて表示されているか否かを判定する第二の判定手段とを有し、前記通知手段は、前記第一の判定手段により動作モードが前記第二の動作モードであると判定された場合、前記通知画面として、第１通知画面を表示させ、前記通知手段は、前記第一の判定手段により動作モードが前記第一の動作モードであると判定され、かつ、前記第二の判定手段により前記別のソフトウェアのウィンドウが表示されていないと判定された場合、前記通知画面として、前記第１通知画面を表示させ、前記通知手段は、前記第一の判定手段により動作モードが前記第一の動作モードであると判定され、かつ、前記第二の判定手段により前記別のソフトウェアのウィンドウが表示されていると判定された場合、前記通知画面として、前記第１通知画面よりも小さい第２通知画面を表示させる。